(57)【要約】【課題】照光面積を大きくすることができる照明装置を提供することである。【解決手段】実施形態に係る照明装置は、発光素子と、前記発光素子の点灯状態を制御するスイッチと、を有する発光部と；前記発光部を収納し、一方の端部が開口した筐体と；前記筐体の開口を覆い、透光性を有するカバーと；前記筐体と前記カバーとの間に設けられたフレームであって、枠状を呈する縁部と、一端が前記縁部に設けられ、他端が前記縁部から突出し、前記スイッチを操作する操作部を保持し、前記カバーから露出する保持部と、を有するフレームと；を具備している。【選択図】図１
2015044474.tif 000002
【特許請求の範囲】
【請求項１】
発光素子と、前記発光素子の点灯状態を制御するスイッチと、を有する発光部と；
前記発光部を収納し、一方の端部が開口した筐体と；
前記筐体の開口を覆い、透光性を有するカバーと；
前記筐体と前記カバーとの間に設けられたフレームであって、
枠状を呈する縁部と、
一端が前記縁部に設けられ、他端が前記縁部から突出し、前記スイッチを操作する操作部を保持し、前記カバーから露出する保持部と、
を有するフレームと；
を具備した照明装置。
【請求項２】
前記カバーは、前記発光部に向かって延びる導光部をさらに有する請求項１記載の照明装置。
【請求項３】
前記フレームは、前記保持部と、前記縁部と、の間に設けられた接続部をさらに具備し、
前記接続部は、厚み方向を貫通する孔部を有し、
前記カバーは、前記接続部を覆っている請求項１または２に記載の照明装置。
【請求項４】
前記筐体の内部の側面は、底面側が前記筐体の中央側に近接する方向に傾斜している請求項１〜３のいずれか１つに記載の照明装置。
【発明の詳細な説明】
【技術分野】
【０００１】
本発明の実施形態は、照明装置に関する。
【背景技術】
【０００２】
発光ダイオードを光源とし、車両の内装材に設けられる照明装置がある。
この様な照明装置は、箱状の筐体と、発光ダイオードが実装され、筐体の内部に設けられた基板と、筐体の開口部分を覆う枠状の縁部と、縁部の開口を覆うアウターレンズと、を備えている。
そのため、縁部の縁の分だけアウターレンズの面積（照光面積）が小さくなっていた。  また、縁部の縁の幅寸法が大きくなると、車両の内装材のデザインに融合させるのが難しくなる。
【先行技術文献】
【特許文献】
【０００３】
【特許文献１】特開２０１０−１４９７６２号公報
【発明の概要】
【発明が解決しようとする課題】
【０００４】
本発明が解決しようとする課題は、照光面積を大きくすることができる照明装置を提供することである。
【課題を解決するための手段】
【０００５】
実施形態に係る照明装置は、発光素子と、前記発光素子の点灯状態を制御するスイッチと、を有する発光部と；前記発光部を収納し、一方の端部が開口した筐体と；前記筐体の開口を覆い、透光性を有するカバーと；前記筐体と前記カバーとの間に設けられ、枠状を呈する縁部と、一端が前記縁部に設けられたフレームであって、他端が前記縁部から突出し、前記スイッチを操作する操作部を保持し、前記カバーから露出する保持部と、を有するフレームと；を具備している。
【発明の効果】
【０００６】
本発明の実施形態によれば、照光面積を大きくすることができる照明装置を提供することができる。
【図面の簡単な説明】
【０００７】
【図１】本実施の形態に係る照明装置１を例示するための模式斜視図である。
【図２】図１におけるＡ−Ａ線方向の模式断面図である。
【図３】照明装置１の模式分解図である。
【図４】（ａ）、（ｂ）は、照明装置１の模式分解断面図である。（ａ）は図３におけるＢ−Ｂ線方向の模式分解断面図である。（ｂ）は図３におけるＣ−Ｃ線方向の模式分解断面図である。
【図５】（ａ）、（ｂ）は、他の実施形態に係るカバ−１６およびフレーム１４の取り付けを例示するための模式断面図である。（ａ）はカバ−１６およびフレーム１４の取り付け前を例示するための模式分解断面図である。（ｂ）はカバ−１６およびフレーム１４の取り付け後を例示するための模式断面図である。
【図６】他の実施形態に係る照明装置１ａを例示するための模式斜視図である。
【図７】図６におけるＤ−Ｄ線方向の模式断面図である。
【図８】他の実施形態に係る照明装置１ｂを例示するための模式斜視図である。
【図９】照明装置１ｂの模式分解図である。
【図１０】他の実施形態に係る照明装置１ｃを例示するための模式斜視図である。
【図１１】照明装置１ｃの模式分解図である。
【発明を実施するための形態】
【０００８】
実施形態に係る照明装置は、発光素子と、前記発光素子の点灯状態を制御するスイッチと、を有する発光部と；前記発光部を収納し、一方の端部が開口した筐体と；前記筐体の開口を覆い、透光性を有するカバーと；前記筐体と前記カバーとの間に設けられ、枠状を呈する縁部と、一端が前記縁部に設けられ、他端が前記縁部から突出し、前記スイッチを操作する操作部を保持し、前記カバーから露出する保持部と、を有するフレームと；を具備している。
この照明装置によれば、照光面積を大きくすることができる。
【０００９】
また、前記カバーは、前記発光部に向かって延びる導光部をさらに有することができる。
この様にすれば、カバーの周縁近傍に効率よく光を到達させることができる。そのため、照光面積をさらに大きくすることができる。
【００１０】
また、フレームは、前記保持部と、前記縁部と、の間に設けられた接続部をさらに具備している。前記接続部は、厚み方向を貫通する孔部を有している。前記カバーは、前記接続部を覆っている。
この様にすれば、保持部により遮られる光を少なくすることができる。そのため、照光面積をさらに大きくすることができる。
【００１１】
また、筐体の内部の側面は、底面側が前記筐体の中央側に近接する方向に傾斜している。
この様にすれば、側面に入射した光が照明装置の外部に照射されやすくなる。
【００１２】
以下、図面を参照しつつ、実施の形態について例示をする。なお、各図面中、同様の構成要素には同一の符号を付して詳細な説明は適宜省略する。
図１は、本実施の形態に係る照明装置１を例示するための模式斜視図である。
図２は、図１におけるＡ−Ａ線方向の模式断面図である。
図３は、照明装置１の模式分解図である。
図４（ａ）、（ｂ）は、照明装置１の模式分解断面図である。
なお、図４（ａ）は図３におけるＢ−Ｂ線方向の模式分解断面図である。図４（ｂ）は図３におけるＣ−Ｃ線方向の模式分解断面図である。
【００１３】
照明装置１は、例えば、自動車や鉄道車両などの車両の室内に設けることができる。
例えば、照明装置１は、自動車の乗員室の天井のルーフトリムなどに設けられた開口内に設けることができる。
図１〜図４（ｂ）に示すように、照明装置１には、筐体２、発光部３、フレーム４、操作部５、およびカバー６が設けられている。
【００１４】
図２に示すように、筐体２は、箱状を呈し、一方の端部２ａが開口している。筐体２の端部２ａには、筐体２の外方に向けて突出するフランジ部２ｂが設けられている。フランジ部２ｂは、環状を呈し、筐体２の端部２ａの周囲を囲むように設けられている。
筐体２の内部の底面２ｃには、発光部３が設けられている。
筐体２の内部の側面２ｄは、斜面となっている。側面２ｄは、底面２ｃ側が筐体２の中央側に近接する方向に傾斜している。
【００１５】
図２に示すように、発光部３の発光素子３ｂから照射された光の一部は、側面２ｄに入射する。側面２ｄに入射した光は、反射されてカバー６を介して照明装置１の外部に照射される。
ここで、例えば、側面２ｄが底面２ｃに対して垂直な面である場合には、側面２ｄに入射した光の一部が照明装置１の外部に照射されにくくなる。
本実施の形態においては、側面２ｄは、底面２ｃ側が筐体２の中央側に近接する方向に傾斜している。そのため、側面２ｄに入射した光が照明装置１の外部に照射されやすくなる。
【００１６】
筐体２の材料には特に限定がない。筐体２は、例えば、樹脂材料や金属材料などを用いて形成することができる。
この場合、発光部３の発光素子３ｂから照射された光の一部が側面２ｄに入射することを考慮すると、筐体２の材料は、発光素子３ｂから照射された光に対する反射率の高い材料とすることが好ましい。
反射率の高い材料としては、例えば、白色の樹脂や、酸化チタンなどの粒子が混合された樹脂などを例示することができる。
【００１７】
また、発光部３に設けられた発光素子３ｂなどの発熱量が多い場合には、筐体２の材料は、熱伝導率の高い材料とすることが好ましい。
熱伝導率の高い材料としては、例えば、高熱伝導性樹脂、金属、酸化アルミニウムや窒化アルミニウムなどのセラミックスなどを例示することができる。
なお、高熱伝導性樹脂は、例えば、ＰＥＴ（Polyethyleneterephthalate）やナイロンなどの樹脂に、熱伝導率の高い炭素や酸化アルミニウムなどからなる繊維や粒子を混合させたものである。
【００１８】
発光部３には、基板３ａ、発光素子３ｂ、およびスイッチ３ｃが設けられている。
基板３ａは、板状を呈し、表面に図示しない配線パターンが設けられている。
基板３ａは、例えば、酸化アルミニウムや窒化アルミニウムなどのセラミックス、紙フェノールやガラスエポキシなどの有機材料、金属板の表面を絶縁材料で被覆したものなどから形成することができる。
なお、金属板の表面を絶縁材料で被覆する場合には、絶縁材料は、有機材料からなるものであってもよいし、無機材料からなるものであってもよい。
【００１９】
発光素子３ｂなどの発熱量が多い場合には、放熱の観点から熱伝導率の高い材料を用いて基板３ａを形成することが好ましい。熱伝導率の高い材料としては、例えば、酸化アルミニウムや窒化アルミニウムなどのセラミックス、前述した高熱伝導性樹脂、金属板の表面を絶縁体で被覆したものなどを例示することができる。
また、基板３ａは、単層であってもよいし、多層であってもよい。
【００２０】
発光素子３ｂは、基板３ａ上に設けられている。
発光素子３ｂは、例えば、発光ダイオードやレーザダイオードなどとすることができる。
発光素子３ｂの数には特に限定はない。発光素子３ｂの数は、照明装置１の用途や大きさなどに応じて適宜変更することができる。すなわち、発光素子３ｂの数は、１個以上であればよい。
発光素子３ｂが複数設けられる場合には、複数の発光素子３ｂの配置は、マトリクス状や同心円状などの規則的な配置としてもよいし、任意の配置としてもよい。
【００２１】
発光素子３ｂと、基板３ａの表面に設けられた図示しない配線パターンとの接続方法には特に限定はない。発光素子３ｂは、例えば、ワイヤを介して図示しない配線パターンと電気的に接続することができる。また、発光素子３ｂは、例えば、図示しない配線パターンに直接接続されるＣＯＢ（Chip On Board）により実装されていてもよい。
【００２２】
また、図２に例示をしたように発光素子３ｂを基板３ａ上に直接設けることもできる。また、例えば、ＰＬＣＣ（Plastic Leaded Chip Carrier）型などのように外囲器を介して発光素子３ｂを基板３ａ上に設けることもできる。
また、必要に応じて、発光素子３ｂを囲む環状のリフレクタを設けたり、発光素子３ｂを樹脂で封止したり、発光素子３ｂを封止する樹脂に蛍光体を含ませたりすることができる。
【００２３】
スイッチ３ｃは、基板３ａ上に設けられている。スイッチ３ｃは、基板３ａの表面に設けられた図示しない配線パターンと電気的に接続されている。
スイッチ３ｃは、例えば、スライドスイッチとすることができる。
また、スイッチ３ｃに設けられたツマミ３ｃ１を左右にスライドさせることにより、発光素子３ｂの点灯状態、すなわち、照明装置１の点灯状態を選択できるようになっている。例えば、点灯、消灯、および、車両のドアの開閉に応じて点灯・消灯を行うドア連動状態を選択できるようになっている。
【００２４】
また、基板３ａには、必要に応じて、抵抗器、コンデンサ、ダイオードなどの回路部品を適宜設けることができる。
基板３ａの図示しない配線パターンには、図示しない給電端子の一端が接続されている。図示しない給電端子の他端は、筐体２から露出している。筐体２から露出した図示しない給電端子には、図示しないソケットなどを介して外部の電源などが接続される。
【００２５】
フレーム４は、筐体２の端部２ａ側（開口側）に設けられている。
図３に示すように、フレーム４は、縁部４ａと保持部４ｂを有する。
縁部４ａは、枠状を呈している。縁部４ａには、爪部４ａ１が設けられている。爪部４ａ１の先端は、フレーム４の中央側に向けて突出しており、筐体２のフランジ部２ｂを保持することができるようになっている。図４（ａ）、（ｂ）に示すように、フレーム４は、爪部４ａ１により筐体２の端部２ａ側に固定される。
【００２６】
保持部４ｂの一端は縁部４ａに設けられ、保持部４ｂの他端はフレーム４の中央側に向けて突出している。保持部４ｂには、操作部５を取り付けるための孔部４ｂ１が設けられている。孔部４ｂ１は、所定の方向に延びた形状を有している。孔部４ｂ１の内部には図示しない案内部が設けられ、操作部５を保持するとともに孔部４ｂ１に沿って操作部５をスライドできるようになっている。
【００２７】
また、図１に示すように、縁部４ａはカバー６の下に設けられている。そのため、光の照射面であるカバー６の面積を大きくすることができる。
すなわち、本実施の形態によれば、照光面積を大きくすることができる。
保持部４ｂはカバー６から露出している。そのため、保持部４ｂの色彩や形状などを変えることで、車両の内装材のデザインに融合させるのが容易となる。
【００２８】
前述したように、筐体２は、光の反射性の高い材料や、熱伝導率の高い材料から形成することが好ましい。ところが、光の反射性の高い材料や、熱伝導率の高い材料から形成された筐体２が露出すると、車両の内装材のデザインに融合させるのが困難となる。
一方、カバー６のみが露出するようにすれば、デザイン性の向上が図れなくなるおそれがある。
【００２９】
本実施の形態によれば、筐体２を光の反射性の高い材料や、熱伝導率の高い材料から形成し、カバー６から露出する保持部４ｂを有したフレーム４を種々の材料から形成することが可能となる。
例えば、車両の内装材のデザインに合う色彩や質感を有する材料を用いてフレーム４を形成することが可能となる。
この場合、フレーム４の材料は、金属材料、樹脂材料、セラミックスなどの各種の材料から選択することができる。
またさらに、フレーム４のみを交換することで、車両の内装材の種々のデザインに融合させることができる。
【００３０】
操作部５は、孔部４ｂ１の内部に設けられている。操作部５の一端は、保持部４ｂから突出している。操作部５の他端には、図示しない凹部が設けられている。図示しない凹部には、スイッチ３ｃのツマミ３ｃ１が挿入されている。そのため、操作部５をスライドさせることで、スイッチ３ｃのツマミ３ｃ１をスライドさせることができる。
【００３１】
操作部５を孔部４ｂ１に沿ってスライドさせることにより、前述した照明装置１の点灯状態を選択できるようになっている。例えば、操作部５を左側にすれば点灯、中央にすればドア連動状態、右側にすれば消灯となるようになっている。
この場合、操作部５は保持部４ｂに保持されている。そのため、操作部５に加えられた力がスイッチ３ｃに伝わるのを抑制することができる。その結果、スイッチ３ｃの破損を抑制することができる。
操作部５の材料には特に限定はなく、例えば、金属材料、樹脂材料、セラミックスなどの各種の材料を用いることができる。
【００３２】
カバー６は、フレーム４の上に設けられている。この場合、カバー６は、フレーム４の縁部４ａおよびフレーム４の開口を覆うように設けられている。
カバー６は、切り欠き部６ａを有している。切り欠き部６ａの内部にはフレーム４の保持部４ｂが設けられている。そのため、フレーム４の保持部４ｂをカバー６から露出させることができる。
【００３３】
カバー６は、中央側が凸状の曲面形状を有している。ただし、カバー６の形状は例示をしたものに限定されるわけではなく、照明装置１の用途や車両の内装材のデザインなどに応じて適宜変更することができる。
【００３４】
カバー６は、グレアを抑制するために設けられている。そのため、カバー６は、入射した光の強度を弱めるために光の透過率を低くしている。
例えば、カバー６の入射面および照射面の少なくともいずれかにブラスト加工などの拡散処理を施したり、カバー６の入射面および照射面の少なくともいずれかに散乱材料を含む散乱層を設けたりすることで、光の透過率を低くしている。
【００３５】
また、カバー６を散乱材料を含む透光性材料から形成することで、光の透過率を低くすることもできる。
散乱材料は、例えば、透光性材料に、透光性材料と異なる屈折率を有する微粒子を添加したものとすることができる。微粒子は、例えば、酸化チタンなどからなるものとすることができる。
【００３６】
この場合、カバー６における光の直線透過率を６０％以下とすれば、グレアを効果的に抑制することができる。
また、カバー６における光の直線透過率を３０％以上、５０％以下とすれば、照明装置としての機能を損なうことなく、グレアをさらに効果的に抑制することができる。
【００３７】
また、図４（ｂ）に示すように、カバー６は、フレーム４側に向けて突出する爪部６ｂを有する。
爪部６ｂの先端は、カバー６の外方に向けて突出しており、フレーム４の縁部４ａを保持することができるようになっている。図４（ａ）、（ｂ）に示すように、カバー６は、爪部６ｂによりフレーム４の縁部４ａに固定される。
【００３８】
図５（ａ）、（ｂ）は、他の実施形態に係るカバー１６およびフレーム１４の取り付けを例示するための模式断面図である。
なお、図５（ａ）はカバー１６およびフレーム１４の取り付け前を例示するための模式分解断面図である。図５（ｂ）はカバー１６およびフレーム１４の取り付け後を例示するための模式断面図である。
【００３９】
図５（ａ）に示すように、カバー１６は、筐体１２側に向けて突出する接続部１６ａを複数有する。接続部１６ａは、棒状を呈している。
フレーム１４は、接続部１６ａに対応する位置に孔部１４ａを有する。
筐体１２は、接続部１６ａに対応する位置に孔部１２ａを有する。
カバー１６およびフレーム１４を筐体１２に取り付ける際には、まず、接続部１６ａを孔部１４ａおよび孔部１２ａに挿入する。
【００４０】
次に、図５（ｂ）に示すように、接続部１６ａの先端を押しつぶすことで、筐体１２にカバー１６およびフレーム１４を取り付ける。
例えば、接続部１６ａが金属材料からなる場合には、接続部１６ａの先端をかしめることで、筐体１２にカバー１６およびフレーム１４を取り付ける。
接続部１６ａが樹脂材料からなる場合には、接続部１６ａの先端を加熱して軟化させ、これを押しつぶすことで、筐体１２にカバー１６およびフレーム１４を取り付ける。
【００４１】
図６は、他の実施形態に係る照明装置１ａを例示するための模式斜視図である。
図７は、図６におけるＤ−Ｄ線方向の模式断面図である。
図６および図７に示すように、照明装置１ａには、筐体２、発光部３、フレーム２４、操作部５、およびカバー２６が設けられている。
【００４２】
フレーム２４は、縁部２４ａ、保持部２４ｂ、および接続部２４ｃを有する。
縁部２４ａは、枠状を呈している。縁部２４ａには、爪部２４ａ１が設けられている。爪部２４ａ１は、前述した爪部４ａ１と同様とすることができる。
【００４３】
保持部２４ｂは、前述した保持部４ｂと同様とすることができる。ただし、保持部２４ｂは、カバー２６の周縁から離れた位置に露出している。
接続部２４ｃは、保持部２４ｂと縁部２４ａとの間に設けられている。接続部２４ｃは、厚み方向を貫通する孔部２４ｄを有している。
カバー２６は、フレーム２４の上に設けられており、接続部２４ｃを覆っている。
カバー２６は、孔部２６ａを有している。孔部２６ａの内部にはフレーム２４の保持部２４ｂが設けられている。そのため、フレーム２４の保持部２４ｂをカバー２６から露出させることができる。
また、図７に示すように、カバー２６は、導光部２６ｂを有する。導光部２６ｂは、筐体２の側面２ｄに沿って、発光部３に向かって延びている。
【００４４】
発光部３の発光素子３ｂから照射された光の一部は、孔部２４ｄを介してカバー２６に入射する。
そのため、前述したフレーム４の保持部４ｂに比べて、保持部により遮られる光を少なくすることができる。
また、発光部３の発光素子３ｂから照射された光の一部は、導光部２６ｂに入射し、導光部２６ｂの内部を伝播して、カバー２６の周縁近傍に到達する。
そのため、カバー２６の周縁近傍に効率よく光を到達させることができる。
本実施の形態によれば、照光面積をさらに大きくすることができる。
なお、導光部２６ｂは、前述したカバー６、１６にも設けることができる。
【００４５】
図８は、他の実施形態に係る照明装置１ｂを例示するための模式斜視図である。
図９は、照明装置１ｂの模式分解図である。
図８および図９に示すように、照明装置１ｂには、筐体２、発光部３、フレーム４、操作部１５、およびカバー６が設けられている。
前述した照明装置１にはスライドスイッチが１個設けられている。これに対し、照明装置１ｂにはタクタイルスイッチであるスイッチ３ｃ２が３個設けられている。
【００４６】
また、前述した照明装置１にはスライドする操作部５が１個設けられている。これに対し、照明装置１ｂには照明装置１ｂの厚み方向に動く操作部１５が３個設けられている。
また、前述した照明装置１には、操作部５を取り付けるための所定の方向に延びた孔部４ｂ１が１個設けられている。これに対し、照明装置１ｂには操作部１５を取り付けるための孔部４ｂ２が３個設けられている。
この様に、スイッチの形式や個数には特に限定がなく、照明装置の用途などに応じて適宜変更することができる。
【００４７】
図１０は、他の実施形態に係る照明装置１ｃを例示するための模式斜視図である。
図１１は、照明装置１ｃの模式分解図である。
図１０および図１１に示すように、照明装置１ｃには、筐体２、発光部３、フレーム４、操作部２５、およびカバー６が設けられている。
前述した照明装置１ｂにはタクタイルスイッチであるスイッチ３ｃ２が３個設けられている。これに対し、照明装置１ｃには照光式スイッチであるスイッチ３ｃ３が２個設けられている。  
また、前述した照明装置１ｂには操作部１５が３個設けられている。これに対し、照明装置１ｃには操作部２５が２個設けられている。
【００４８】
また、前述した照明装置１ｂには操作部１５を取り付けるための孔部４ｂ２が３個設けられている。これに対し、照明装置１ｃには操作部２５を取り付けるための孔部４ｂ３が１個設けられている。
この様に、スイッチの形式や個数には特に限定がなく、照明装置の用途などに応じて適宜変更することができる。
【００４９】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５０】
１  照明装置、１ａ〜１ｃ  照明装置、２  筐体、２ｂ  フランジ部、２ｄ  側面、３  発光部、３ａ  基板、３ｂ  発光素子、３ｃ  スイッチ、３ｃ１  ツマミ、３ｃ２  スイッチ、３ｃ３  スイッチ、４  フレーム、４ａ  縁部、４ｂ  保持部、５  操作部、６  カバー、６ａ  切り欠き部、６ｂ  爪部、１２  筐体、１２ａ  孔部、１４  フレーム、１４ａ  孔部、１５  操作部、１６  カバー、１６ａ  接続部、２４  フレーム、２４ａ  縁部、２４ａ１  爪部、２４ｂ  保持部、２４ｃ  接続部、２４ｄ  孔部、２５  操作部、２６  カバー、２６ａ  孔部、２６ｂ  導光部
【図１】
2015044474.tif 000003
【図２】
2015044474.tif 000004
【図３】
2015044474.tif 000005
【図４】
2015044474.tif 000006
【図５】
2015044474.tif 000007
【図６】
2015044474.tif 000008
【図７】
2015044474.tif 000009
【図８】
2015044474.tif 000010
【図９】
2015044474.tif 000011
【図１０】
2015044474.tif 000012
【図１１】
2015044474.tif 000013